(57)【特許請求の範囲】
【請求項１】
標本の観察倍率を変化させる変倍装置を複数有しており、該標本を観察する際における装置全体としての観察倍率である総合観察倍率が該変倍装置各々の倍率の積により決定される拡大観察装置を制御する制御装置であって、
前記総合観察倍率の指示を取得する総合観察倍率取得手段と、
複数の前記変倍装置のうち優先するものを選択する指示を取得する優先変倍装置選択指示取得手段と、
前記拡大観察装置での前記標本の観察を前記指示に係る総合観察倍率で行うための前記変倍装置各々の倍率の組合せを、前記総合観察倍率取得手段が取得した前記総合観察倍率の情報と、前記優先変倍装置選択指示取得手段が取得した優先する前記変倍装置の情報とに基づいて決定し出力する変倍倍率決定手段と、
を有することを特徴とする制御装置。
【請求項２】
前記変倍倍率決定手段は、前記決定に係る前記変倍装置各々の倍率の組合せの候補のうち前記優先変倍装置選択指示取得手段により取得された変倍装置の倍率が最大であるものを選択し前記決定の結果として出力する、
ことを特徴とする請求項１に記載の制御装置。
【請求項３】
前記総合観察倍率と前記拡大観察装置による前記標本の観察を該総合観察倍率で行うための前記変倍装置各々の倍率の組合せとの対応関係が示されているテーブルを更に有しており、
前記変倍倍率決定手段は、前記総合観察倍率取得手段が取得した前記総合観察倍率の情報と、前記優先変倍装置選択指示取得手段が取得した優先する前記変倍装置の情報とを基に前記テーブルの内容を参照し、前記変倍装置各々の倍率を決定する、
ことを特徴とする請求項１に記載の制御装置。
【請求項４】
前記変倍倍率決定手段は、前記総合観察倍率取得手段が取得した前記総合観察倍率の情報と、前記優先変倍装置選択指示取得手段が取得した優先する前記変倍装置の情報とを基に前記標本の観察を前記指示に係る総合観察倍率で行うための前記変倍装置各々の倍率を算出し決定することを特徴とする請求項１に記載の制御装置。
【請求項５】
複数の前記変倍装置は、対物レンズ及び光学ズームであることを特徴とする請求項１に記載の制御装置。
【請求項６】
前記優先変倍装置選択指示取得手段は、
前記対物レンズを優先して選択する指示を取得する対物レンズ優先選択指示取得部と、
前記光学ズームレンズを優先して選択する指示を取得する光学ズームレンズ優先選択指示取得部と、
を有することを特徴とする請求項５に記載の制御装置。
【請求項７】
総合観察倍率取得手段は、前記拡大観察装置での観察の対象とする関心領域の指定を取得して該関心領域の大きさに基づいて前記総合観察倍率を算出して取得することを特徴とする請求項１から６のうちのいずれか１項に記載の制御装置。
【請求項８】
請求項１から７のうちのいずれか１項に記載の制御装置と、
前記拡大観察装置と、
を有しており、
前記拡大観察装置は、前記制御装置の有する変倍倍率決定手段から出力される倍率の組合せに従って、前記変倍装置の倍率を切替える変倍装置倍率切替え手段を更に有する、
ことを特徴とする拡大観察システム。
【請求項９】
標本の観察倍率を変化させる変倍装置を複数有しており、該標本を観察する際における装置全体としての観察倍率である総合観察倍率が該変倍装置各々の倍率の積により決定される拡大観察装置を制御する制御装置で行われる制御方法であって、
前記制御装置の有する総合観察倍率取得手段が、前記総合観察倍率の指示を取得し、
前記制御装置の有する優先変倍装置選択指示取得手段が、複数の前記変倍装置のうち優先するものを選択する指示を取得し、
前記制御装置の有する変倍倍率決定手段が、前記拡大観察装置での前記標本の観察を前記指示に係る総合観察倍率で行うための前記変倍装置各々の倍率の組合せを、前記総合観察倍率取得手段が取得した前記総合観察倍率の情報と、前記優先変倍装置選択指示取得手段が取得した優先する前記変倍装置の情報とに基づいて決定し出力する、
ことを特徴とする拡大観察装置の制御方法。
【発明の詳細な説明】
【技術分野】
【０００１】
本発明は、観察対象物を拡大観察する技術に関し、特に、所望の観察倍率で当該観察対象物の観察を行えるようにする技術に関する。
【背景技術】
【０００２】
微細な観察対象物を観察するために、観察対象物の像を拡大する、顕微鏡等の拡大観察装置が従来から使用されている。
例えば走査型レーザ顕微鏡では、この拡大観察時の総合観察倍率は、対物レンズの倍率と二次元走査スキャナの振り角とにより決定される。使用者は、まず、観察倍率の設定を比較的低倍率として所望の領域付近を大まかに観察する。そして、その後に、モニタ上に表示される標本を観察しながら、対物レンズの倍率と二次元走査スキャナの振り角との双方を調整して、顕微鏡の視野を所望の領域に合わせていく。
【０００３】
この視野を合わせるための操作は、使用者が標本の大きさや観察領域の大きさを意識しながら行い、なおかつ、対物レンズの倍率と二次元走査スキャナの振り角とを各々独立に調整する必要がある。
【０００４】
ここで、使用者が標本の実際の大きさを直感的に捉えられるようにして上述した操作を容易にするために、対物レンズからＰＭＴ（光電子増倍管）やＣＣＤ（電荷結合素子）等の受光素子までの光路の途中にズームレンズ等の中間変倍装置を備えている顕微鏡において、モニタの単位画素に対応する標本上の長さ（スケール）を算出して表示するという技術が従来提案されている。しかし、この技術では、対物レンズの設定と中間変倍装置の倍率の設定とを、ユーザがこのスケールを元に行って調整する必要があるため、操作が煩雑となり、不便であった。また、対物レンズの倍率と中間変倍装置の倍率との組合せは、通常１つの視野領域に対して複数とり得るため、使用者はそのうちのどの組合せを設定して観察すればよいのか解り辛い。
【０００５】
上記の問題点に関し、例えば特許文献１には、ＸＹステージの移動量を検出して標本の実際の移動量を示す実移動量を取得すると共に、ＸＹステージの移動前における標本の画像と移動後における標本の画像との特徴を抽出してＸＹステージの移動に伴う画像の移動量を示す画像移動量を算出し、この実移動量と画像移動量とを用いて、画像の単位画素に対応する標本上の長さを示すスケールを算出するという技術が提案されている。
【特許文献１】特開２００３−１９５１８３号公報
【発明の開示】
【発明が解決しようとする課題】
【０００６】
上述した特許文献１の技術では、標本の実際の大きさをユーザが直感的に捉えることができるようにはなるものの、対物レンズの倍率と中間変倍装置の倍率との設定は、依然としてスケール情報を元にユーザが設定していく必要がある。
【０００７】
本発明は上述した問題に鑑みてなされたものであり、その解決しようとする課題は、所望の観察倍率での観察対象物の観察に必要となる、複数の変倍装置の倍率を個別に設定するための操作上の負担を軽減することである。
【課題を解決するための手段】
【０００８】
本発明の態様のひとつである制御装置は、標本の観察倍率を変化させる変倍装置を複数有しており、該標本を観察する際における装置全体としての観察倍率である総合観察倍率が該変倍装置各々の倍率の積により決定される拡大観察装置を制御する制御装置であって、該総合観察倍率の指示を取得する総合観察倍率取得手段と、複数の該変倍装置のうち優先するものを選択する指示を取得する優先変倍装置選択指示取得手段と、該拡大観察装置での該標本の観察を該指示に係る総合観察倍率で行うための該変倍装置各々の倍率の組合せを、該総合観察倍率取得手段が取得した該総合観察倍率の情報と、該優先変倍装置選択指示取得手段が取得した優先する該変倍装置の情報とに基づいて決定し出力する変倍倍率決定手段と、を有することを特徴とするものであり、この特徴によって前述した課題を解決する。
【０００９】
なお、上述した本発明に係る制御装置において、該変倍倍率決定手段は、該決定に係る該変倍装置各々の倍率の組合せの候補のうち該優先変倍装置選択指示取得手段により取得された変倍装置の倍率が最大であるものを選択し該決定の結果として出力する、ように構成することができる。
また、前述した本発明に係る制御装置において、該総合観察倍率と該拡大観察装置による該標本の観察を該総合観察倍率で行うための該変倍装置各々の倍率の組合せとの対応関係が示されているテーブルを更に有しており、該変倍倍率決定手段は、該総合観察倍率取得手段が取得した該総合観察倍率の情報と、該優先変倍装置選択指示取得手段が取得した優先する該変倍装置の情報とを基に該テーブルの内容を参照し、該変倍装置各々の倍率を決定する、ように構成することができる。
【００１０】
また、前述した本発明に係る制御装置において、該変倍倍率決定手段は、該総合観察倍率取得手段が取得した該総合観察倍率の情報と、該優先変倍装置選択指示取得手段が取得した優先する該変倍装置の情報とを基に該標本の観察を該指示に係る総合観察倍率で行うための該変倍装置各々の倍率を算出し決定するように構成することもできる。
【００１１】
また、前述した本発明に係る制御装置において、複数の前記変倍装置は、対物レンズ及び光学ズームであるように構成することもできる。
【００１２】
なお、このとき、該優先変倍装置選択指示取得手段は、該対物レンズを優先して選択する指示を取得する対物レンズ優先選択指示取得部と、該光学ズームレンズを優先して選択する指示を取得する光学ズームレンズ優先選択指示取得部と、を有するように構成することもできる。
【００１３】
また、前述した本発明に係る制御装置において、総合観察倍率取得手段は、該拡大観察装置での観察の対象とする関心領域の指定を取得して該関心領域の大きさに基づいて該総合観察倍率を算出して取得するように構成することもできる。
【００１４】
なお、前述した本発明に係る制御装置と、該拡大観察装置と、を有しており、該拡大観察装置は、該制御装置の有する変倍倍率決定手段から出力される倍率の組合せに従って、該変倍装置の倍率を切替える変倍装置倍率切替え手段を更に有する、ことを特徴とする拡大観察システムも本発明に係るものである。
【００１５】
また、本発明の別の態様のひとつである制御方法は、標本の観察倍率を変化させる変倍装置を複数有しており、該標本を観察する際における装置全体としての観察倍率である総合観察倍率が該変倍装置各々の倍率の積により決定される拡大観察装置を制御する制御装置で行われる制御方法であって、該制御装置の有する総合観察倍率取得手段が、該総合観察倍率の指示を取得し、該制御装置の有する優先変倍装置選択指示取得手段が、複数の該変倍装置のうち優先するものを選択する指示を取得し、該制御装置の有する変倍倍率決定手段が、該拡大観察装置での該標本の観察を該指示に係る総合観察倍率で行うための該変倍装置各々の倍率の組合せを、該総合観察倍率取得手段が取得した該総合観察倍率の情報と、該優先変倍装置選択指示取得手段が取得した優先する該変倍装置の情報とに基づいて決定し出力する、ことを特徴とするものであり、この特徴によって前述した課題を解決する。
【発明の効果】
【００１７】
本発明によれば、以上のようにすることにより、所望の観察倍率での観察対象物の観察に必要となる、複数の変倍装置の倍率を個別に設定するための操作上の負担が軽減するという効果を奏する。
【発明を実施するための最良の形態】
【００１８】
以下、本発明の実施の形態を図面に基づいて説明する。
まず図１について説明する。図１は本発明を実施する拡大観察システムである走査型共焦点レーザ顕微鏡の構成を示している。
【００１９】
図１において、光源１から出射した光は、ビームスプリッタ２を透通した後、２次元走査機構３に入射する。２次元走査機構３は、第１走査スキャナ３ａと第２走査スキャナ３ｂとからなり、入射した光束を２次元に走査して対物レンズ７へと導く。ここで第１走査スキャナ３ａと第２走査スキャナ３ｂとの振り角をそれぞれ制御することにより、標本の観察倍率を変化させることができる。従って、２次元走査機構３は、この走査型共焦点レーザ顕微鏡が有している変倍装置のひとつである。
【００２０】
対物レンズ７へ入射した光束は集束光となって試料（観察標本）８の表面上を走査する。試料８の表面で反射した光は、再び対物レンズ７から２次元走査機構３を介してビームスプリッタ２に導入されると、今度はビームスプリッタ２によって反射されて結像レンズ９に導かれる。結像レンズ９は、この光をピンホール１０上に集光する。
【００２１】
ここで、対物レンズ７による集光位置はピンホール１０と共役な位置にあるように配置される。従って、試料８が対物レンズ７による集光位置にある場合は、試料８からの反射光がピンホール１０上で集光してピンホールを通過するが、試料８が対物レンズ７による集光位置からずれた位置にある場合は、試料８からの反射光はピンホールを通過しない。こうして、ピンホール１０は、試料８の集光点以外からの反射光をカットする。光検出器１１は、ピンホール１０を通過した光だけを検出する。
【００２２】
Ｚレボルバ６は少なくとも２つ以上の対物レンズ７を保持し、そのうちの所望の倍率の対物レンズ７を２次元走査の光路中に挿入することができる。従って、複数の対物レンズ７を保持しているＺレボルバ６は、この走査型共焦点レーザ顕微鏡が有している変倍装置のひとつである。また、Ｚレボルバ６は、Ｚ軸方向（２次元走査機構３から試料８への光路に沿った）に移動可能となっており、対物レンズ７の集光位置と試料８の相対位置とを変化させることができる。
【００２３】
試料８は試料台１３上に載置される。この試料台１３は、電動ステージ１４によってＸＹ方向（Ｚ軸方向に垂直な平面上における互いに直交する方向）に移動可能となっている。
【００２４】
２次元走査機構３、Ｚレボルバ６、及び光検出器１１等は、予め記憶させておいた顕微鏡制御プログラムを実行する制御用計算機１２によって制御される。使用者は、当該顕微鏡制御プログラムの実行によって表示されるモニタ１５での画面に従って所定の指示の入力を入力部１６に与えることにより、走査型共焦点レーザ顕微鏡の各部を操作することができる。
【００２５】
なお、制御用計算機１２の実体は、ごく標準的な構成のコンピュータ、すなわち、制御プログラムの実行によってコンピュータ全体の動作制御を司るＭＰＵ等の演算処理装置と、この演算処理装置が必要に応じてワークメモリとして使用するメインメモリと、各種のプログラムや制御データなどを記憶して保存しておく例えばハードディスク装置などの記憶装置と、光検出器１１及び入力部１６から送られてくる各種信号の受信制御、並びに、２次元走査機構３、Ｚレボルバ６、電動ステージ１４、及びモニタ１５へ送る各種信号の送信制御を行うインタフェース部と、を有して構成されているコンピュータ、である。
【００２６】
以上のように、図１に示した走査型共焦点レーザ顕微鏡は、標本の観察倍率を変化させる変倍装置として、２次元走査機構３と複数の対物レンズ７を保持しているＺレボルバ６とを有している。また、制御用計算機１２は、この走査型共焦点レーザ顕微鏡を制御する制御装置としても機能する。
【００２７】
以下、図１に示した走査型共焦点レーザ顕微鏡での実施例を幾つか説明する。
【実施例１】
【００２８】
図２は、図１に示した走査型共焦点レーザ顕微鏡の操作画面の第一の例を示している。この画面は、制御用計算機１２で前述の顕微鏡制御プログラムを実行させることによりモニタ１５に表示されるものである。
【００２９】
光検出器１１は、受光した光の強度に対応する信号を出力する。制御用計算機１２は、この信号に基づいて試料８の画像を生成して図２の画面における観察画像表示部２１に嵌め込み、モニタ１５で表示する。
【００３０】
この他、図２の操作画面には、総合倍率調整部２２として、ＧＵＩ（Graphical User Interface）の部品であるスライダが配置されている。使用者は、入力部１６として設けられている例えばマウス装置をドラッグ操作する等して、総合倍率調整部２２であるスライダを移動させることにより、走査型共焦点レーザ顕微鏡の総合観察倍率を調整することができる。なお、このときの入力部１６は、総合観察倍率の指示を取得する総合観察倍率取得手段として機能している。
【００３１】
なお、走査型共焦点レーザ顕微鏡の総合観察倍率とは、観察のため試料８を観察画像表示部２１に表示する際における走査型共焦点レーザ顕微鏡全体としての観察倍率のことであり、走査型共焦点レーザ顕微鏡に備えられている２つの変倍装置の倍率の積、すなわち、対物レンズ７の倍率と第１走査スキャナ３ａ及び第２走査スキャナ３ｂの振り角により決まる光学ズームの倍率との積により決定される。
【００３２】
ここで図３について説明する。同図は、図１の走査型共焦点レーザ顕微鏡により試料８の観察を行うときの総合観察倍率と、その総合観察倍率を得るための対物レンズ７及び上記の光学ズームの倍率の組合せとの対応関係を示したテーブルの例である。この図３の例では、Ｚレボルバ６で保持されている対物レンズ７の各々の倍率が、５倍、１０倍、２０倍、５０倍、及び１００倍であり、第１走査スキャナ３ａと第２走査スキャナ３ｂとの振り角から決まる光学ズーム倍率の倍率が、１倍、２倍、３倍、４倍、及び５倍から設定可能である場合の、対物レンズ７と光学ズームとの倍率についての全ての組合せを示している。なお、本実施例においては、このテーブルを、制御用計算機１２に予め記憶させておくようにする。
【００３３】
図３の例の場合、対物レンズ７は最小倍率が５倍で最大倍率が１００倍であり、光学ズームは最小倍率が１倍で最大倍率が５倍であるので、総合観察倍率は、最小が５倍となり、最大が５００倍となる。従って、図２における総合倍率調整部２２のスライダを移動させることにより、図１の走査型共焦点レーザ顕微鏡の総合観察倍率を５倍から５００倍までの範囲で調整することができる。
【００３４】
なお、図３に示したテーブルの例では、対物レンズ７の倍率と光学ズームの倍率との組合せを２５通り示している。この代わりに、例えば、光学ズームの倍率設定をこれよりも細かく設定することにより、若しくは、Ｚレボルバ６に保持させる対物レンズ７の倍率の種類を増やすことにより、総合観察倍率の調整をより細かくすることもできる。
【００３５】
図３に例示したテーブルが制御用計算機１２に予め記憶されているときに、使用者が総合倍率調整部２２のスライダを移動させて総合観察倍率を例えば２０倍に設定した場合を想定する。この場合、制御用計算機１２は、２０倍の総合観察倍率を得るための対物レンズ７と光学ズームとの倍率の組合せを、図３のテーブルにおける網掛けを付したセルに基づき、３通り見出すことができる。制御用計算機１２は、このようにして、使用者から指示された総合観察倍率を図１の走査型共焦点レーザ顕微鏡で得ることのできる変倍装置各々の倍率の組合せを全て抽出し、抽出された倍率の組合せを、図４Ａに示す画面例のようにモニタ１５に表示して出力する。
【００３６】
図４Ａに示す変倍装置各々の倍率の組合せの表示画面の第一の例では、複数の組合せが、ＧＵＩの部品であるボタンとして各々表示されている。使用者は、入力部１６として設けられている例えばマウス装置をドラッグ操作及びクリック操作する等して、このボタンのうちのひとつを押下する。すると、制御用計算機１２は、押下されたボタンに表示されている組合せを使用者による選択結果として認識し、この選択結果を２次元走査機構３と対物レンズ７との各々を制御している制御用計算機１２内の制御処理ルーチンへ出力する。この選択結果を受け取った制御処理ルーチンでは、該選択結果に係る組合せにおける光学ズームの倍率が得られるように２次元走査機構３における第１走査スキャナ３ａと第２走査スキャナ３ｂとの振り角を調整すると共に、Ｚレボルバ６を回転駆動して該選択結果に係る組合せにおける倍率を有している対物レンズ７を２次元走査の光路中に挿入させる。この結果、図１の走査型共焦点レーザ顕微鏡で所望の総合観察倍率による試料８の観察が可能となる。
【００３７】
なお、制御用計算機１２が、使用者から指示された総合観察倍率を得ることのできる変倍装置各々の倍率の組合せの決定候補を示す画面として、図４Ａに示す画面の代わりに、図４Ｂに示す変倍装置各々の倍率の組合せの表示画面の第二の例をモニタ１５に表示するようにしてもよい。この図４Ｂの画面例では、図４Ａと同様の変倍装置各々の倍率の組合せに加え、変倍装置の付帯情報として制御用計算機１２に予め記憶されている、決定に係る組合せの倍率を有している対物レンズ７の開口数（ＮＡ）及び作動距離（ＷＤ）が表示されており、この画面例の表示を行うことで、これらの付帯情報も使用者に提供される。
【００３８】
ここで図５について説明する。同図は、制御用計算機１２により行われる、変倍装置倍率設定処理の第一の例の処理内容をフローチャートで示したものである。制御用計算機１２であるコンピュータは、所定の制御プログラムをＭＰＵが記憶装置から読み出して実行することにより、この変倍装置倍率設定処理を行うことができるようになる。
【００３９】
図５の処理は、まず、総合観察倍率の調整を開始する使用者からの指示を入力部１６が取得したことがＳ５０１において検出されると開始され、図２に例示した操作画面をモニタ１５に表示する処理が行われる。
【００４０】
Ｓ５０２では、入力部１６に対する使用者からの指示を取得し、図２の操作画面における総合倍率調整部２２のスライダを当該指示に応じて移動させる、総合観察倍率の調整処理が行われる。
【００４１】
Ｓ５０３では、図３に例示した、総合観察倍率と対物レンズ７及び光学ズームの倍率の組合せとの対応関係を示したテーブルに対するサーチ処理が行われる。この組合せテーブルサーチ処理の詳細は後述する。
【００４２】
Ｓ５０４では、Ｓ５０３の組合せテーブルサーチ処理によって抽出された、対物レンズの倍率と光学ズームの倍率との組合せの決定候補を示す図４Ａの画面若しくは該決定結果に付帯情報を付加した図４Ｂに示す画面を、モニタ１５に表示する処理が行われる。
【００４３】
Ｓ５０５では、Ｓ５０４の処理によりモニタ１５に表示した画面に対する操作により使用者により選択された、対物レンズの倍率と光学ズームの倍率との組合せの選択結果を取得する処理が行われる。
【００４４】
Ｓ５０６では、２次元走査機構３及びＺレボルバ６を制御して、Ｓ５０５の処理により取得された選択結果に係る組合せにおける光学ズームの倍率が得られるように第１走査スキャナ３ａと第２走査スキャナ３ｂとの振り角を調整すると共に、該選択結果に係る倍率を有している対物レンズ７を２次元走査の光路中に挿入させる処理が行われ、その後はこの図５の処理を終了する。
【００４５】
以上までの処理が変倍装置倍率設定処理である。
次に図６について説明する。同図は、図５に示した変倍装置倍率設定処理におけるＳ５０３の処理として制御用計算機１２により行われる、組合せテーブルサーチ処理の第一の例の処理内容をフローチャートで示したものである。
【００４６】
図６において、まずＳ６０１で組合せテーブルサーチ処理が開始されると、続くＳ６０２において、図５のＳ５０２により調整された総合観察倍率の調整結果を取得する処理が行われる。
【００４７】
Ｓ６０３では、図３に例示した総合観察倍率と対物レンズ７及び光学ズームの倍率の組合せとの対応関係を示したテーブルを参照し、当該テーブルの各セルに示されている総合観察倍率の値と、Ｓ６０２の処理によって取得された調整後の総合観察倍率の値とを比較する処理が行われる。そして、続くＳ６０４において、この比較処理により、両者の値が一致していたか否かを判定する処理が行われる。ここで、この両者の値が一致していたと判定したとき（判定結果がＹｅｓのとき）にはＳ６０５に処理を進める。一方、この両者が一致していなかったと判定したとき（判定結果がＮｏのとき）にはＳ６０６に処理を進める。
【００４８】
Ｓ６０５では、Ｓ６０２の処理によって取得された調整後の総合観察倍率の値に一致する値が格納されていたセルに対応付けられている対物レンズ７及び光学ズームの倍率の組合せを、当該テーブルから取得して制御用計算機１４の記憶領域に一時的に記憶させる処理が行われる。
【００４９】
Ｓ６０６では、当該テーブルの全てのセルについて、Ｓ６０３の比較処理を終えたか否かを判定する処理が行われる。ここで、全てのセルについて比較処理を終えたと判定したとき（判定結果がＹｅｓのとき）にはＳ６０７に処理を進める。一方、比較処理を行っていないセルが未だ残っていると判定したとき（判定結果がＮｏのとき）にはＳ６０３へと処理を戻し、比較処理を未だ行っていないセルに対しＳ６０３の処理を行う。
【００５０】
Ｓ６０７では、Ｓ６０５の処理により制御用計算機１４の記憶領域に一時的に記憶させた組合せが１組以上存在するか否かを判定する処理が行われる。ここで、この組合せが１組以上記憶領域に存在すると判定したとき（判定結果がＹｅｓのとき）には、このテーブルサーチ処理を終了し、この記憶領域に記憶されている対物レンズの倍率と光学ズームの倍率との組合せの全てを、テーブルサーチ処理による抽出結果として図５の処理へ返す。一方、この組合せが記憶領域に全く存在していないと判定したとき（判定結果がＮｏのとき）には、Ｓ６０８に処理を進める。
【００５１】
Ｓ６０８では、当該テーブルの各セルに示されている総合観察倍率の値のうち、Ｓ６０２の処理によって取得された調整後の総合観察倍率の値に最も近いものを取得し、当該調整後の総合観察倍率の値を当該取得した値に変更する処理が行われ、その後はＳ６０３へと処理を戻し、当該変更後の値を用いてＳ６０３の比較処理を行う。
【００５２】
以上までの処理が、組合せテーブルサーチ処理である。
以上のように、本実施例では、図１の走査型共焦点レーザ顕微鏡において、総合観察倍率と対物レンズ７及び光学ズームの倍率の組合せとの対応関係を示したテーブルを制御用計算機１２に予め用意しておき、使用者から指示された総合観察倍率により試料８の観察を行えるようにするための対物レンズ７と光学ズームとの倍率の組合せを、当該テーブルの内容に基づいて制御用計算機１２が決定してその結果を出力し、Ｚレボルバ６と２次元走査機構３とを制御する。
【００５３】
従って、本実施例によれば、走査型共焦点レーザ顕微鏡で使用者から指示された総合観察倍率を得るために、使用者は、対物レンズ７の倍率と光学ズームの倍率（すなわち第１走査スキャナ３ａ及び第２走査スキャナ３ｂの振り角）とをそれぞれ独立に調整する必要がなく、所望の総合観察倍率を指示するだけで走査型共焦点レーザ顕微鏡を観察開始状態にすることができる。この結果、使用者の操作上の負担が軽減する。
【００５４】
なお、本実施例においては、使用者から指示された総合観察倍率により試料８の観察を行えるようにするための対物レンズ７と光学ズームとの倍率の組合せの決定結果となる候補が複数存在する場合に、そのうちのひとつを使用者が選択し、この選択結果に基づいて対物レンズ７の倍率と光学ズームの倍率とを制御していた。この代わりに、対物レンズ７と光学ズームとのうちのどちらかを優先させる指示を予め使用者が制御用計算機１２に与えておくようにし、当該倍率の組合せの決定候補が複数存在する場合には、対物レンズ７と光学ズームとのうち高い優先度が与えられている方の倍率が最大である組合せを、その複数の候補から制御用計算機１２が自動的に選択し、この選択結果を出力して対物レンズ７と光学ズームとの倍率を制御するようにしてもよい。
【００５５】
ここで図７について説明する。同図は、図１に示した走査型共焦点レーザ顕微鏡の操作画面の第二の例を示している。
図７の画面例には、図２に示した操作画面の第一の例と同様の観察画像表示部２１及び総合倍率調整部２２が備えられており、更に、変倍調整優先選択部２３が備えられている。
【００５６】
図７の画面例では、変倍調整優先選択部２３として、「対物レンズ優先」、「ズーム優先」、「ユーザ選択」の３つの選択肢が示されており、各選択肢に対応付けてＧＵＩの部品であるチェックボックスが配置されている。使用者は、入力部１６として設けられている例えばマウス装置をドラッグ操作及びクリック操作する等して、このチェックボックスのうちのいずれか１つをチェックする。すると、チェックされたチェックボックスに対応付けられている選択肢が選択され、制御用計算機１２は、使用者によるこの選択の指示を取得する。
【００５７】
ここで、制御用計算機１２が図７に例示した操作画面をモニタ１５に表示して行う、対物レンズ７及び光学ズームの倍率の組合せの決定動作について説明する。
まず、使用者は、入力部１６として設けられている例えばマウス装置をドラッグ操作する等して、総合倍率調整部２２であるスライダを移動させることにより、走査型共焦点レーザ顕微鏡の総合観察倍率を調整する。ここで、この調整により、それまでは５倍であった総合観察倍率が２０倍に調整したとする。
【００５８】
制御用計算機１２は、このときの入力部１６に対する操作に基づき、総合観察倍率の指示を取得すると、図３に例示したテーブルを参照する。そして、図３のテーブルにおける網掛けを付したセルに基づき、２０倍の総合観察倍率を得るための対物レンズ７と光学ズームとの倍率の組合せを３通り見出す。
【００５９】
ここで、使用者による変倍調整優先選択部２３に対する操作により「対物レンズ優先」が選択されている場合には、制御用計算機１２は、３通りの倍率の組合せの決定候補のうち、対物レンズ７の倍率が２０倍で光学ズームの倍率が１倍である、対物レンズ７の倍率が最大である組合せを、当該倍率の組合せの決定結果として選択して出力し、対物レンズ７と光学ズームとの倍率を制御する。
【００６０】
また、ここで、使用者による変倍調整優先選択部２３に対する操作により「ズーム優先」が選択されている場合には、制御用計算機１２は、３通りの倍率の組合せの決定候補のうち、対物レンズ７の倍率が５倍で光学ズームの倍率が４倍である、光学ズームの倍率が最大である組合せを、当該倍率の組合せの決定結果として選択して出力し、対物レンズ７と光学ズームとの倍率を制御する。
【００６１】
一方、ここで、使用者による変倍調整優先選択部２３に対する操作により「ユーザ選択」が選択されていた場合には、制御用計算機１２は、前述したようにして図４Ａの画面若しくは図４Ｂの画面をモニタ１５に表示し、この表示画面に対する操作により使用者により選択された、対物レンズと光学ズームとの倍率の組合せの選択結果を、当該倍率の組合せの決定結果として出力し、対物レンズ７と光学ズームとの倍率を制御する。
【００６２】
以上のようにすることにより、走査型共焦点レーザ顕微鏡で使用者から指示された総合観察倍率を得るために、使用者は、対物レンズ７の倍率と光学ズームの倍率（すなわち第１走査スキャナ３ａ及び第２走査スキャナ３ｂの振り角）とをそれぞれ独立に調整する必要がなく、また、変倍調整優先選択部２３において倍率の設定を優先させる変倍装置を指定しておくことにより、所望の総合観察倍率を得るための対物レンズ７と光学ズームとの倍率の組合せの候補が複数存在する場合でも、所望の総合観察倍率を指示するだけで走査型共焦点レーザ顕微鏡を観察開始状態にすることができる。この結果、使用者の操作上の負担が軽減する。
【実施例２】
【００６３】
前述した実施例１では、図１の走査型共焦点レーザ顕微鏡において、総合観察倍率と対物レンズ７及び光学ズームの倍率の組合せとの対応関係を示したテーブルを制御用計算機１２に予め用意しておき、使用者から指示された総合観察倍率により試料８の観察を行えるようにするための対物レンズ７と光学ズームとの倍率の組合せを、当該テーブルの内容に基づいて制御用計算機１２が決定していた。これに対し、本実施例では、図１の走査型共焦点レーザ顕微鏡において、使用者から指示された総合観察倍率で試料８の観察を行えるようにするための対物レンズ７と光学ズームとの倍率の組合せを、当該テーブルを使用して決定するのではなく、当該総合観察倍率に基づいて算出して決定する。以下、この算出の手順を説明する。
【００６４】
図２に示した操作画面がモニタ１５に表示されると、まず、使用者は、入力部１６として設けられている例えばマウス装置をドラッグ操作する等して、総合倍率調整部２２であるスライダを移動させることにより、走査型共焦点レーザ顕微鏡の総合観察倍率を調整する。ここで、この調整により、それまでは５倍であった総合観察倍率が２０倍に調整したとする。なお、このとき、Ｚレボルバ６で保持されている対物レンズ７の各々の倍率が、５倍、１０倍、２０倍、５０倍、及び１００倍であったとする。
【００６５】
ここで、制御用計算機１２は、調整後の総合観察倍率を対物レンズ７の倍率で除算した値が１以上となる対物レンズ７の倍率を選択すると共に、選択された対物レンズ７の倍率で当該総合観察倍率を除算した値を、光学ズームの倍率として算出する。
【００６６】
この演算を行うことにより、制御用計算機１２は、対物レンズ７と光学ズームとの倍率の組合せとして、下記の３通りの組合せを見出す。
・対物レンズ：  ５倍、光学ズーム：４倍
・対物レンズ：１０倍、光学ズーム：２倍
・対物レンズ：２０倍、光学ズーム：１倍
このようにして、Ｚレボルバ６で保持されている対物レンズ７の各々の倍率に対し光学ズームの倍率が算出される。このようにして得られた対物レンズと光学ズームとの倍率の組合せは、制御用計算機１２の記憶領域に記憶されて保持される。
【００６７】
以降は前述した実施例１と同様であり、制御用計算機１２は、前述したように、記憶領域に保持されている倍率の組合せに基づいて図４Ａの画面若しくは図４Ｂの画面を生成してモニタ１５に表示する。そして、この表示画面に対する操作により使用者により選択された、対物レンズの倍率と光学ズームの倍率との組合せの選択結果を、当該倍率の組合せの決定結果として出力する。
【００６８】
以上のように、本実施例では、使用者から指示された総合観察倍率で試料８の観察を行えるようにするための対物レンズ７と光学ズームとの倍率の組合せを、当該総合観察倍率に基づいて算出して決定する。
【００６９】
従って、本実施例によれば、走査型共焦点レーザ顕微鏡で使用者から指示された総合観察倍率を得るために、使用者は、対物レンズ７の倍率と光学ズームの倍率（すなわち第１走査スキャナ３ａ及び第２走査スキャナ３ｂの振り角）とをそれぞれ独立に調整する必要がなく、所望の総合観察倍率を指示するだけで走査型共焦点レーザ顕微鏡を観察開始状態にすることができる。この結果、使用者の操作上の負担が軽減する。しかも、本実施例では、総合観察倍率と対物レンズ７と光学ズームとの倍率の組合せとの対応関係を示したテーブルを制御用計算機１２に予め用意しておく必要がない。
【００７０】
なお、本実施例においても、実施例１と同様に、対物レンズ７と光学ズームとのうちのどちらかを優先させる指示を予め使用者が制御用計算機１２に与えておくようにし、当該倍率の組合せの決定候補が複数存在する場合には、対物レンズ７と光学ズームとのうち高い優先度が与えられている方の倍率が最大である組合せを、その複数の候補から制御用計算機１２が自動的に選択し、この選択結果を出力して対物レンズ７と光学ズームとの倍率を制御するようにしてもよい。
【実施例３】
【００７１】
前述した実施例１では、図１の走査型共焦点レーザ顕微鏡において、制御用計算機１２は、図２若しくは図７に示した操作画面をモニタ１５に表示し、この表示画面において使用者が移動させる、総合倍率調整部２２であるスライダの位置に基づいて使用者からの総合観察倍率の指示を受け取っていた。これに対し、本実施例では、図１の走査型共焦点レーザ顕微鏡において、使用者が観察を所望する関心領域の指定を制御用計算機１２が使用者から取得し、その関心領域の大きさに基づいて制御用計算機１２が総合観察倍率を算出して取得する。
【００７２】
まず図８Ａについて説明する。図８Ａは、図１に示した走査型共焦点レーザ顕微鏡の操作画面の第三の例を示している。この図８Ａの画面は、図７に示した操作画面の第二の例における観察画像表示部２１に、拡大観察対象物像２４が表示されている状態を示している。
【００７３】
図８Ａにおいて、関心領域指定枠２５は、使用者が関心領域の指定を行うための枠である。使用者は、入力部１６として設けられている例えばマウス装置をクリック操作やドラッグ操作する等して、拡大観察対象物像２４が表示されている観察画像表示部２１内に関心領域指定枠２５を描く。
【００７４】
なお、関心領域指定枠２５を描くための操作は、例えば、入力部１６に対する操作に従って観察画像表示部２１内を移動する不図示のポインタで関心領域指定枠２５における左上と右下との頂点を使用者が指定することで、観察画像表示部２１と同一の縦横比の関心領域指定枠２５を制御用計算機１２が形成するようにする。なお、関心領域指定枠２５を描くための操作は、この操作に限定されるものではなく、この代わりに、例えば、関心領域指定枠２５における左上と右上との頂点を使用者が指定することで、観察画像表示部２１と同一の縦横比の関心領域指定枠２５を制御用計算機１２が形成するようにしてもよく、また、関心領域指定枠２５における左上と左下との頂点を使用者が指定することで、観察画像表示部２１と同一の縦横比の関心領域指定枠２５を制御用計算機１２が形成するようにしてもよい。
【００７５】
以上のようにして関心領域の指定を使用者から受け取ると、制御用計算機１２は、まず、関心領域指定時の対物レンズ７の倍率と光学ズームの倍率とより、試料台１３上での関心領域の実際の大きさを算出する。そして、次に、観察画像表示部２１の大きさに一致するまで関心領域を拡大させるときの拡大倍率を、この関心領域の実際の大きさと観察画像表示部２１の大きさとに基づいて算出し、この算出結果の倍率を、使用者から指示された総合観察倍率として取得する。
【００７６】
この後の制御用計算機１２は前述した実施例１と同様である。すなわち、総合観察倍率と対物レンズ７及び光学ズームの倍率の組合せとの対応関係を示したテーブルを制御用計算機１２に予め用意しておき、上述したようにして算出された総合観察倍率により試料８の観察を行えるようにするための対物レンズ７と光学ズームとの倍率の組合せを、当該テーブルの内容に基づいて制御用計算機１２が決定してその結果を出力し、Ｚレボルバ６と２次元走査機構３とを制御する。この結果、使用者により指定された関心領域が観察画像表示部２１の全体に拡大された、図８Ｂに示す操作画面の第四の例のような操作画面がモニタ１５に表示されて、試料８の更なる拡大観察が可能となる。
【００７７】
なお、上述したテーブルを制御用計算機１２に用意する代わりに、関心領域の実際の大きさと、この関心領域を観察画像表示部２１の大きさに一致するまで拡大させるための対物レンズ７及び光学ズームの倍率の組合せとの対応関係を示したテーブルを用意しておくようにしてもよい。この場合には、観察画像表示部２１の大きさに一致するまで関心領域を拡大させて試料８の拡大観察を行えるようにするための対物レンズ７と光学ズームとの倍率の組合せを、前述したようにして算出された関心領域の実際の大きさから当該テーブルの内容に基づいて制御用計算機１２が決定してその結果を出力し、Ｚレボルバ６と２次元走査機構３とを制御する。この結果、図８Ｂに示すような操作画面がモニタ１５に表示されて、試料８の更なる拡大観察が可能となる。この場合には、観察画像表示部２１の大きさに一致するまで関心領域を拡大させるときの拡大倍率の算出が不要になる。
【００７８】
ここで図９について説明する。同図は、制御用計算機１２により行われる、変倍装置倍率設定処理の第二の例の処理内容をフローチャートで示したものである。制御用計算機１２であるコンピュータは、所定の制御プログラムをＭＰＵが記憶装置から読み出して実行することにより、この変倍装置倍率設定処理を行うことができるようになる。
【００７９】
図９の処理は、まず、総合観察倍率の調整を開始する使用者からの指示を入力部１６が取得したことがＳ９０１において検出されると開始され、図８Ａに例示した操作画面をモニタ１５に表示する処理が行われる。
【００８０】
Ｓ９０２では、関心領域指定処理、すなわち、入力部１６に対する使用者からの指示を取得して、図８Ａの操作画面における観察画像表示部２１に関心領域指定枠２５を描く処理が行われる。
【００８１】
Ｓ９０３では、図３に例示した、総合観察倍率と対物レンズ７及び光学ズームの倍率の組合せとの対応関係を示したテーブルに対するサーチ処理が行われる。この組合せテーブルサーチ処理の詳細は後述する。
【００８２】
Ｓ９０４では、Ｓ９０３の組合せテーブルサーチ処理によって抽出された、対物レンズの倍率と光学ズームの倍率との組合せの決定候補を示す図４Ａの画面若しくは該決定結果に付帯情報を付加した図４Ｂに示す画面を、モニタ１５に表示する処理が行われる。
【００８３】
Ｓ９０５では、Ｓ９０４の処理によりモニタ１５に表示した画面に対する操作により使用者により選択された、対物レンズの倍率と光学ズームの倍率との組合せの選択結果を取得する処理が行われる。
【００８４】
Ｓ９０６では、２次元走査機構３及びＺレボルバ６を制御して、Ｓ９０５の処理により取得された選択結果に係る組合せにおける光学ズームの倍率が得られるように第１走査スキャナ３ａと第２走査スキャナ３ｂとの振り角を調整すると共に、該選択結果に係る倍率を有している対物レンズ７を２次元走査の光路中に挿入させる処理が行われ、その後はこの図９の処理を終了する。
【００８５】
以上までの処理が変倍装置倍率設定処理である。
なお、図９に示した変倍装置倍率設定処理におけるＳ９０４の処理では、指示された総合観察倍率により試料８の観察を行えるようにするための対物レンズ７と光学ズームとの倍率の組合せの決定結果となる候補が複数存在する場合に、そのうちのひとつを使用者が選択し、この選択結果に基づいて対物レンズ７の倍率と光学ズームの倍率とを制御していた。この代わりに、実施例１で説明したようにして、対物レンズ７と光学ズームとのうちのどちらかを優先させる指示を予め使用者が制御用計算機１２に与えておくようにし、当該倍率の組合せの決定候補が複数存在する場合には、対物レンズ７と光学ズームとのうち高い優先度が与えられている方の倍率が最大である組合せを、その複数の候補から制御用計算機１２が自動的に選択し、この選択結果を出力して対物レンズ７と光学ズームとの倍率を制御するようにしてもよい。
【００８６】
次に図１０について説明する。同図は、図９に示した変倍装置倍率設定処理におけるＳ９０３の処理として制御用計算機１２により行われる、組合せテーブルサーチ処理の第一の例の処理内容をフローチャートで示したものである。
【００８７】
図９において、まずＳ１００１で組合せテーブルサーチ処理が開始されると、続くＳ１００２において、図９のＳ９０２により観察画像表示部２１に描かれた関心領域指定枠２５と、このときに設定されていた対物レンズ７及び光学ズームの倍率とより、試料台１３上での関心領域のＸ方向若しくはＹ方向の実際の長さを取得する処理が行われる。
【００８８】
Ｓ１００３では、制御用計算機１２の記憶領域に予め記憶させておいた、関心領域のＸ方向若しくはＹ方向の実際の長さ（大きさ）と、この関心領域を観察画像表示部２１の大きさに一致するまで拡大させるための対物レンズ７及び光学ズームの倍率の組合せとの対応関係を示したテーブルを参照し、当該テーブルの各セルに示されている関心領域の当該長さと、Ｓ１００２の処理によって取得された関心領域のＸ方向若しくはＹ方向の実際の長さとを比較する処理が行われる。そして、続くＳ１００４において、この比較処理により、両者の値が一致していたか否かを判定する処理が行われる。ここで、この両者の値が一致していたと判定したとき（判定結果がＹｅｓのとき）にはＳ１００５に処理を進める。一方、この両者が一致していなかったと判定したとき（判定結果がＮｏのとき）にはＳ１００６に処理を進める。
【００８９】
Ｓ１００５では、Ｓ１００２の処理によって取得された関心領域の当該長さに一致する値が格納されていたセルに対応付けられている対物レンズ７及び光学ズームの倍率の組合せを、当該テーブルから取得して制御用計算機１４の記憶領域に一時的に記憶させる処理が行われる。
【００９０】
Ｓ１００６では、当該テーブルの全てのセルについて、Ｓ１００３の比較処理を終えたか否かを判定する処理が行われる。ここで、全てのセルについて比較処理を終えたと判定したとき（判定結果がＹｅｓのとき）にはＳ１００７に処理を進める。一方、比較処理を行っていないセルが未だ残っていると判定したとき（判定結果がＮｏのとき）にはＳ１００３へと処理を戻し、比較処理を未だ行っていないセルに対しＳ１００３の処理を行う。
【００９１】
Ｓ１００７では、Ｓ１００５の処理により制御用計算機１４の記憶領域に一時的に記憶させた組合せが１組以上存在するか否かを判定する処理が行われる。ここで、この組合せが１組以上記憶領域に存在すると判定したとき（判定結果がＹｅｓのとき）には、このテーブルサーチ処理を終了し、この記憶領域に記憶されている対物レンズの倍率と光学ズームの倍率との組合せの全てを、テーブルサーチ処理による抽出結果として図９の処理へ返す。一方、この組合せが記憶領域に全く存在していないと判定したとき（判定結果がＮｏのとき）には、Ｓ１００８に処理を進める。
【００９２】
Ｓ１００８では、当該テーブルの各セルに示されている総合観察倍率の値のうち、Ｓ１００２の処理によって取得された関心領域の当該長さに最も近いものを取得し、関心領域の当該長さを当該取得した値に変更する処理が行われ、その後はＳ１００３へと処理を戻し、当該変更後の値を用いてＳ１００３の比較処理を行う。
【００９３】
以上までの処理が、組合せテーブルサーチ処理である。
以上のように、本実施例では、図１の走査型共焦点レーザ顕微鏡において、関心領域の実際の大きさと、この関心領域を観察画像表示部２１の大きさに一致するまで拡大させるための対物レンズ７及び光学ズームの倍率の組合せとの対応関係を示したテーブルを制御用計算機１２に予め用意しておき、使用者から指定された関心領域の実際の大きさから、対物レンズ７及び光学ズームの倍率の組合せを当該テーブルの内容に基づいて制御用計算機１２が決定してその結果を出力し、Ｚレボルバ６と２次元走査機構３とを制御する。
【００９４】
従って、本実施例によれば、走査型共焦点レーザ顕微鏡で使用者から指示された総合観察倍率を得るために、使用者は、対物レンズ７の倍率と光学ズームの倍率（すなわち第１走査スキャナ３ａ及び第２走査スキャナ３ｂの振り角）とをそれぞれ独立に調整する必要がなく、所望の総合観察倍率を指示するだけで走査型共焦点レーザ顕微鏡を観察開始状態にすることができる。この結果、使用者の操作上の負担が軽減する。
【００９５】
なお、本実施例では、使用者から指定された関心領域の実際の大きさから、対物レンズ７及び光学ズームの倍率の組合せを当該テーブルの内容に基づいて制御用計算機１２が決定していた。この代わりに、実施例２と同様に、対物レンズ７と光学ズームとの倍率の組合せの決定を、使用者から指定された関心領域の実際の大きさから算出して行うようにすることも可能である。
【００９６】
以上、本発明の実施形態として、実施例を幾つか説明したが、本発明は、上述した実施形態に限定されることなく、本発明の要旨を逸脱しない範囲内で種々の改良・変更が可能である。
【００９７】
例えば、前述した各実施例においては、図１に示した構成の走査型共焦点レーザ顕微鏡で本発明を実施していたが、本発明は、この他にも、例えば、制御用計算機から制御可能な複数の対物レンズと、結像レンズと、デジタルズーム機能を有するＣＣＤ等の光検出器とより構成される従来の光学顕微鏡において実施することも可能である。
【図面の簡単な説明】
【００９８】
【図１】本発明を実施する走査型共焦点レーザ顕微鏡の構成を示す図である。
【図２】走査型共焦点レーザ顕微鏡の操作画面の第一の例を示す図である。
【図３】総合観察倍率と対物レンズ及び光学ズームの倍率の組合せとの対応関係を示したテーブルの例を示す図である。
【図４Ａ】変倍装置各々の倍率の組合せの表示画面の第一の例を示す図である。
【図４Ｂ】変倍装置各々の倍率の組合せの表示画面の第二の例を示す図である。
【図５】変倍装置倍率設定処理の第一の例の処理内容をフローチャートで示した図である。
【図６】組合せテーブルサーチ処理の第一の例の処理内容をフローチャートで示した図である。
【図７】走査型共焦点レーザ顕微鏡の操作画面の第二の例を示す図である。
【図８Ａ】走査型共焦点レーザ顕微鏡の操作画面の第三の例を示す図である。
【図８Ｂ】走査型共焦点レーザ顕微鏡の操作画面の第四の例を示す図である。
【図９】変倍装置倍率設定処理の第二の例の処理内容をフローチャートで示した図である。
【図１０】組合せテーブルサーチ処理の第二の例の処理内容をフローチャートで示した図である。
【符号の説明】
【００９９】
１  光源
２  ビームスプリッタ
３  ２次元走査機構
３ａ  第１走査スキャナ
３ｂ  第２走査スキャナ
６  Ｚレボルバ
７  対物レンズ
８  試料
９  結像レンズ
１０  ピンホール
１１  光検出器
１２  制御用計算機
１３  試料台
１４  電動ステージ
１５  モニタ
１６  入力部
２１  観察画像表示部
２２  総合倍率調整部
２３  変倍調整優先選択部
２４  拡大観察対象物像
２５  関心領域指定枠
【図１】
0005281763.tif 000002
【図３】
0005281763.tif 000003
【図４Ａ】
0005281763.tif 000004
【図４Ｂ】
0005281763.tif 000005
【図５】
0005281763.tif 000006
【図６】
0005281763.tif 000007
【図９】
0005281763.tif 000008
【図１０】
0005281763.tif 000009
【図２】
0005281763.tif 000010
【図７】
0005281763.tif 000011
【図８Ａ】
0005281763.tif 000012
【図８Ｂ】
0005281763.tif 000013